(57)【要約】【課題】  評価対象システム１０１に於いて基準ビデオを提示することなく、ビデオ入力部１０２、伝送路１０６、受信復号部１０４、各々の性能特性に留意した評価対象システム１０１全体としてのビデオ品質を自動的に絶対評価する。【解決手段】  マーカ挿入部１５２は、ビデオ入力部１０２が送信するビデオデータに該ビデオデータの送信順を特定するマーカデータを挿入し、品質評価部１５３は、受信したビデオデータから上記マーカデータを検出し、該マーカデータに挿入されている上記ビデオデータの送信順に基づいて所定のビデオ品質を算出する。【選択図】        図１
2007312191.tif 000002
【特許請求の範囲】
【請求項１】
ビデオストリーミングシステムに於けるビデオ品質評価装置であって、
送信側が送信するビデオデータに該ビデオデータの送信順を特定するマーカデータを挿入するマーカデータ挿入部と、
受信したビデオデータから前記マーカデータを検出し、該マーカデータに挿入されている前記ビデオデータの送信順に基づいて所定のビデオ品質を算出する品質評価部とを備えることを特徴とするビデオ品質評価装置。
【請求項２】
前記マーカデータは、
前記ビデオデータのフレーム番号であることを特徴とする請求項１に記載のビデオ品質評価装置。
【請求項３】
前記マーカデータは、
前記送信順を特定する情報を複数個含む冗長データであることを特徴とする請求項１に記載のビデオ品質評価装置。
【請求項４】
前記ビデオデータに挿入されるマーカデータは、
オーバースキャン方式の非可視領域に挿入されることを特徴とする請求項１に記載のビデオ品質評価装置。
【請求項５】
前記所定のビデオ品質は、
コンテンツ端でのフレームロス数の算出に基づく、コンテンツの始端近傍、及びコンテンツの終端近傍に於ける再生画像洩れであることを特徴とする請求項１に記載のビデオ品質評価装置。
【請求項６】
前記所定のビデオ品質は、
フレーム番号の連続性の検査に基づくフレームロス数であることを特徴とする請求項１に記載のビデオ品質評価装置。
【請求項７】
前記所定のビデオ品質は、
フレーム番号の連続性の検査に基づく再生不連続数であることを特徴とする請求項１に記載のビデオ品質評価装置。
【請求項８】
前記所定のビデオ品質は、
フレーム番号の連続性の検査に基づく再生戻り数であることを特徴とする請求項１に記載のビデオ品質評価装置。
【請求項９】
前記所定のビデオ品質は、
フレーム番号と実際の時刻経過との比較に基づく再生時間伸縮率であることを特徴とする請求項１に記載のビデオ品質評価装置。
【請求項１０】
前記所定のビデオ品質は、
フィールド識別子の進行順検査に基づくフィールドオーダの妥当性であることを特徴とする請求項１に記載のビデオ品質評価装置。
【請求項１１】
ビデオストリーミングシステムに於けるビデオ品質監視装置であって、
ビデオデータの送信順を特定するマーカデータが挿入されたビデオデータを受信し、該ビデオデータから前記マーカデータを検出し、該マーカデータに挿入されている前記ビデオデータの送信順に基づいて所定のビデオ品質を算出することを特徴とするビデオ品質監視装置。
【請求項１２】
前記所定のビデオ品質が、予め定められているレベルを超えるとアラームを発報することを特徴とする請求項１１に記載のビデオ品質監視装置。
【請求項１３】
請求項１１に記載のビデオ品質監視装置が、前記ビデオストリーミングシステムを構成する少なくとも１つのノードに接続されることを特徴とするビデオ品質監視システム。
【請求項１４】
ビデオストリーミングシステムに於けるビデオ品質監視システムであって、
送信側が送信するビデオデータに該ビデオデータの送信順を特定するマーカデータを挿入するマーカデータ挿入部と、
受信したビデオデータから前記マーカデータを検出し、該マーカデータに挿入されている前記ビデオデータの送信順に基づいて所定のビデオ品質を算出する品質評価部とを備えることを特徴とするビデオ品質監視システム。
【請求項１５】
前記品質評価部は、前記所定のビデオ品質が、予め定められているレベルを超えるとアラームを発報することを特徴とする請求項１４に記載のビデオ品質監視システム。
【請求項１６】
前記マーカデータは、
前記ビデオデータのフレーム番号であることを特徴とする請求項１４に記載のビデオ品質監視システム。
【請求項１７】
前記マーカデータは、
前記送信順を特定する情報を複数個含む冗長データであることを特徴とする請求項１４に記載のビデオ品質監視システム。
【請求項１８】
前記ビデオデータに挿入されるマーカデータは、
オーバースキャン方式の非可視領域に挿入されることを特徴とする請求項１４に記載のビデオ品質監視システム。
【請求項１９】
前記所定のビデオ品質は、
コンテンツ端でのフレームロス数の算出に基づく、コンテンツの始端近傍、及びコンテンツの終端近傍に於ける再生画像洩れであることを特徴とする請求項１４に記載のビデオ品質監視システム。
【請求項２０】
前記所定のビデオ品質は、
フレーム番号の連続性の検査に基づくフレームロス数であることを特徴とする請求項１４に記載のビデオ品質監視システム。
【請求項２１】
前記所定のビデオ品質は、
フレーム番号の連続性の検査に基づく再生不連続数であることを特徴とする請求項１４に記載のビデオ品質監視システム。
【請求項２２】
前記所定のビデオ品質は、
フレーム番号の連続性の検査に基づく再生戻り数であることを特徴とする請求項１４に記載のビデオ品質監視システム。
【請求項２３】
前記所定のビデオ品質は、
フレーム番号と実際の時刻経過との比較に基づく再生時間伸縮率であることを特徴とする請求項１４に記載のビデオ品質監視システム。
【請求項２４】
前記所定のビデオ品質は、
フィールド識別子の進行順検査に基づくフィールドオーダの妥当性であることを特徴とする請求項１４に記載のビデオ品質品質監視システム。
【発明の詳細な説明】
【技術分野】
【０００１】
本発明は、ビデオストリーミングシステムに於ける、ビデオ品質を評価するビデオ品質評価装置、ビデオ品質を監視するビデオ品質監視装置、及びビデオ品質を監視するビデオ品質監視システムに関する。
【背景技術】
【０００２】
ビデオデータを実時間で伝送し、それを実時間で受信再生させるビデオストリーミングシステムでは、以下に記載する３つの要因によってビデオ品質の劣化が発生する。
要因１
送信装置の性能劣化により正しいビデオデータが予定された送信タイミングで送信されない場合。即ち、送信装置にビデオ品質の劣化要因が含まれている場合。
要因２
伝送路において、遅延ジッタ、パケットロス等が発生し、正しいビデオデータが予定された伝送時間で伝送路を伝送されない場合。即ち、伝送路にビデオ品質の劣化要因が含まれている場合。
要因３
受信装置の性能劣化により正しいビデオデータが予定された再生タイミングで再生されない場合。即ち、受信装置にビデオ品質の劣化要因が含まれている場合。
【０００３】
従って、ビデオストリーミングシステムの性能を正しく評価するには、送信装置、伝送路、受信装置、各々の性能特性に留意したビデオ品質の計測が必要になる。又、ビデオストリーミングシステムが、予定されている性能品質を維持しているか否かの監視にも、同様のビデオ品質計測が必要になる。
【０００４】
ＩＴＵ−Ｒ勧告ＢＴ．５００には、ビデオ品質を計測する際の主観的評価方法として、
（１）二重刺激連続品質尺度法（Ｄｏｕｂｌｅ−ｓｔｉｍｕｌｕｓ  ｃｏｎｔｉｎｕｏｕｓ  ｑｕａｌｉｔｙ−ｓｃａｌｅ  ｍｅｔｈｏｄ、以後ＤＳＣＱＳと記す）、及び、（２）単一刺激連続品質評価法（Ｓｉｎｇｌｅ−ｓｔｉｍｕｌｕｓ  ｃｏｎｔｉｎｕｏｕｓ  ｑｕａｌｉｔｙ  ｅｖａｌｕａｔｉｏｎ、以後ＳＳＣＱＥと記す）が開示されている。
【０００５】
（１）二重刺激連続品質尺度法（ＤＳＣＱＳ）では、送信前の基準ビデオ（約１０秒間）と、受信後の再生ビデオ（約１０秒間）をランダムな順序で提示し、評価者が評価点数をつけることにより、基準ビデオと再生ビデオの評価点数の差によりビデオ品質を絶対評価する。この方法では、基準ビデオと再生ビデオの両者を同一場所で比較評価する必要がある。（２）単一刺激連続品質評価法（ＳＳＣＱＥ）では、受信後の再生ビデオ（数１０分）を提示し、評価者が時系列的に評価点数をつけることにより、再生ビデオ中のビデオ品質の時間変化を相対評価する。この方法は、基準ビデオを必要としていないため、送信場所と、受信場所が異なっていても良い。
【非特許文献１】ＩＴＵ−Ｒ勧告ＢＴ．５００
【発明の開示】
【発明が解決しようとする課題】
【０００６】
以上説明した従来のビデオ品質評価方法には以下に記す解決すべき課題が残されていた。（１）二重刺激連続品質尺度法（ＤＳＣＱＳ）では、基準ビデオと再生ビデオとを同一場所で比較評価することが困難であるため、ビデオストリーミングシステムのように送信場所と受信場所とが異なるビデオ品質評価には適していない。（２）単一刺激連続品質評価法（ＳＳＣＱＥ）では、基準ビデオを必要としていないため、ビデオストリーミングシステムのように送信場所と、受信場所が異なっていても良いが、再生ビデオのビデオ品質を絶対評価することができない。（３）上記（１）又は（２）の何れの方法であっても、評価者の主観的評価に基づく評価方法なので評価精度を高めるためには、多くの評価者を必要とし、評価コストが増大する。
【課題を解決するための手段】
【０００７】
本発明は、ビデオストリーミングシステムのビデオ品質評価装置であって、送信側が送信するビデオデータに該ビデオデータの送信順を特定するマーカデータを挿入するマーカデータ挿入部と、受信したビデオデータから上記マーカデータを検出し、該マーカデータに挿入されている上記ビデオデータの送信順に基づいて所定のビデオ品質を算出する品質評価部とを備えることを主要な特徴とする。
【発明の効果】
【０００８】
本発明によれば、送信側が送信するビデオデータに該ビデオデータの送信順を特定するマーカデータを挿入するマーカデータ挿入部と、受信したビデオデータから上記マーカデータを検出し、該マーカデータに挿入されている上記ビデオデータの送信順に基づいて所定のビデオ品質を算出する品質評価部とを備えることによって、ビデオ品質（フレームロス、再生時間の伸縮性、フィールドオーダの妥当性、再生フレームの連続性、コンテンツ端ロス等）を客観的に実時間で算出することが可能になる。その結果、基準ビデオを提示することなく、送信装置、伝送路、受信装置、各々の性能特性に留意したビデオストリーミングシステム全体としてのビデオ品質を自動的に絶対評価出来るという効果を得る。又、従来の主観的評価方法のように多数の評価者を必要としないので、評価コスト、及び、評価時間を低減できるという効果を得る。
【発明を実施するための最良の形態】
【０００９】
発明を実施するための最良の形態について以下に説明する。
【実施例１】
【００１０】
図１は、実施例１のビデオ品質評価システムのシステム構成図である。
図に示すように本実施例のビデオ品質評価システム１００は、評価対象システム１０１と、ビデオ品質評価装置１５１とを含む。
評価対象システム１０１は、ビデオ入力部１０２と、符号化送信部１０３と、受信復号部１０４と、ビデオモニタ１０５と、伝送路１０６とを備え、ビデオ品質評価装置１５１は、マーカ挿入部１５２と、品質評価部１５３とを備える。以下にビデオデータの生成からビデオ品質の評価まで、ビデオデータの流れに沿って、上記各部分の構成と機能とを合わせて説明し、実施例１のビデオ品質評価システムの内容を明らかにする。
【００１１】
ビデオ入力部１０２は、ビデオカメラ、又はＤＶＤプレーヤー等を内蔵し、ディジタルのビデオデータ（１）を生成し、符号化送信部１０３とマーカ挿入部１５２へ送出する部分である。一例としてビデオデータは、ビデオカメラまたはＤＶＤプレーヤーを介して、画像サイズが７２０×４８０（画素）で、フレームレートが２９．９７Ｈｚ、Ｙ、Ｃｂ、Ｃｒが４対２対２形式（１画素あたり１６ビット）のディジタルデータとして生成される。このビデオデータは、ビデオデータ（１）として符号化送信部１０３、及びマーカ挿入部１５２へ送出される。但し、評価対象システム１０１と、ビデオ品質評価装置１５１とを結合して利用する場合には、ビデオデータ（１）は、ビデオ入力部１０２からマーカ挿入部１５２を経由して符号化送信部１０３へ送出され、直接符号化送信部１０３へ送出されることは無くなる。
【００１２】
符号化送信部１０３は、ビデオ入力部１０２からビデオデータ（１）を受入れて、又は、マーカ挿入部１５２からビデオデータ（２）を受入れて、符号化し、更に符号化データを蓄積し、伝送路１０６に対応する伝送パケット１０７を構成し、伝送路１０６を介して受信復号部１０４へ送信する部分である。
【００１３】
マーカ挿入部１５２は、ビデオ入力部１０２からビデオデータ（１）を受入れて、輝度信号（Ｙ）の、可視領域中の画面下端近傍にマーカデータを上書きし、ビデオデータ（２）として符号化送信部１０３へ送出する部分である。以下にマーカ挿入部１５２が、ビデオデータに対してビデオマーカデータを挿入する機能について説明する。
【００１４】
図２は、ビデオマーカデータの説明図である。
この図は、画像サイズが７２０×４８０（画素）、フレームレートが２９．９７Ｈｚのフレーム中におけるビデオマーカデータが含まれる位置と、そのビデオマーカデータの構成を示す図である。図に示すように、画像サイズが７２０×４８０（画素）のビデオフレームは、有効ビデオ領域１５２−１と、マーカ領域１５２−２とに分割される。本発明では、オーバースキャン方式を採用し、マーカ領域１５２−２は、一般的なビデオモニタでは表示されない領域に配置される。このマーカ領域１５２−２にビデオマーカデータ１５２−３が表示される。ビデオマーカデータ１５２−３は、マーカ挿入部１５２（図１）がビデオ入力部１０２からビデオデータ（１）を受入れると、１／２９．９７秒毎に生成される。一例として７２０×８（画素）で構成される。以後の説明では、縦方向の画素数をライン数（縦方向の画素数＝ライン数）で表示する。
【００１５】
図に示すようにビデオマーカデータ１５２−３は、左右ほぼ中央の２４０画素に、同期パターン１５２−３ａと、マーカビット列１５２−３ｂとを挿入し、その他の領域には、黒パターン１５２−３ｃを挿入する。同期パターン１５２−３ａは、８画素分の白パターンと右側（図中）に隣接する８画素分の黒パターンとによって構成される。マーカビット列１５２−３ｂは、８画素分の白パターン、または黒パターンによって各々８ビットのビット値（一例として白が１、黒が０）が表現される。
【００１６】
ビデオマーカデータ１５２−３は、３つのマーカビット列１５２−３ｂ（合計２４ビット）を含んでいる。合計２４ビットには以下の情報が挿入される。
［１］上記２４ビット中の２３ビットを用いて２９．９７Ｈｚ周期のフレーム番号Ｆｎが挿入される。
［２］上記２４ビット中の残り１ビットを用いて、上記フレームのトップフィールド、又はボトムフィールドを表す、フィールド識別子が挿入される。また、［１］の２３ビットは、同一フレームのマーカ領域１５２−２内の８ラインでは同一の値が挿入され、［２］のフィールド識別子は、同一フレームを構成する２つのフィールド間では異なる値が挿入されることになる。
［３］フレーム番号Ｆｎは、マーカ挿入部１５２が、ビデオ入力部１０２からビデオフレームデータを受入れる毎にインクリメントされ、同時に、フィールド毎に正しいフィールド識別子が設定される。
【００１７】
このように構成されるビデオマーカデータ１５２−３に基づいて、出力側では、そのビデオフレームが入力側から送信された送信順番を特定することが可能になるので、ビデオ品質評価システム１００（図１）中におけるビデオデータの欠損などを認識することが可能になる。
【００１８】
上記のように構成されたビデオマーカデータ１５２−３（図２）が挿入されたビデオデータは、ビデオデータ（２）として符号化送信部１０３（図１）へ送出される。符号化送信部１０３（図１）は、上記のように、このビデオデータ（１）、又はビデオデータ（２）を符号化し、更に符号化データを蓄積し、伝送パケット１０７を構成し、伝送路１０６を介して受信復号部１０４へ送信することになる。
【００１９】
図１に戻って、受信復号部１０４は、伝送路１０６を介して符号化送信部１０３から伝送パケット１０７を受信してビデオデータ（３）に復号化し、ビデオモニタ１０５と、品質評価部１５３へビデオデータ（３）を送出する部分である。ビデオモニタ１０５は、ビデオデータ（３）を受入れて所定の目的に供する部分である。伝送路１０６は、例えばインターネット網などのようにビデオデータを伝送可能なネットワークである。
【００２０】
品質評価部１５３は、受信復号部１０４からビデオデータ（３）を受入れて、上記ビデオマーカデータ１５２−３（図２）を検出し、該ビデオマーカデータ１５２−３（図２）に基づいて後に説明する品質データを算出して出力する部分である。品質評価部１５３の詳細な構成とその機能について以下に説明する。
【００２１】
図３は、品質評価部の構成図である。
図に示すように品質評価部１５３は、ビデオキャプチャ部１５３−１と、マーカ領域検出部１５３−２と、マーカ読出部１５３−３と、品質計算部１５３−４と、品質出力部１５３−５とを有する。
【００２２】
ビデオキャプチャ部１５３−１は、ビデオデータ（３）を受入れて、ビデオデータ（輝度信号）を取得し、マーカ領域検出部１５３−２へ出力する部分である。マーカ領域検出部１５３−２は、ビデオキャプチャ部１５３−１からビデオデータを受入れてビデオマーカデータ１５２−３（図２）の挿入位置を検出する部分である。ビデオマーカデータ１５２−３（図２）は図２に示すように特異なパターン構成が適用されているので容易にその位置が特定される。この位置は、領域位置データとしてマーカ読出部１５３−３へ送出される。
【００２３】
マーカ読出部１５３−３は、ビデオキャプチャ部１５３−１からビデオデータを受入れ、更に、マーカ領域検出部１５３−２から受入れる領域位置データに基づいて各マーカビットの値を検出し、マーカデータとして品質計算部１５３−４へ送出する部分である。
【００２４】
品質計算部１５３−４は、マーカ読出部１５３−３から受入れた各マーカデータのビット値に基づいて、以下に記載する品質データを計算し、品質出力部１５３−５へ送出する部分である。品質計算部１５３−４によって計算される品質データの詳細について以下に説明する。
【００２５】
＜１＞コンテンツ端でのフレームロス数が計算される。
コンテンツの始端、及びコンテンツの終端のフレーム番号が予め分かっている場合には、フレーム番号を追跡することによって、コンテンツの始端近傍、及びコンテンツの終端近傍で再生画像が洩れなく再生されているか否かが計算される。
【００２６】
＜２＞フレームロス数が計算される。
フレーム番号の連続性を検査することによって、伝送路１０６（図１）などでロスされたフレームロス数が時系列的に計算される。
【００２７】
＜３＞再生不連続数が計算される。
フレーム番号の連続性を検査することによって、フレーム番号が不連続になる場合の数を時系列的に計算される。
【００２８】
＜４＞再生戻り数が計算される。
フレーム番号の連続性を検査することによって、時系列的にフレーム番号及びフィールド識別子の進行が逆転する場合の数が時系列的に計算される。
【００２９】
＜５＞再生時間伸縮率が計算される。
フレーム番号と実際の時刻経過との比較により、本来の再生予定時刻に比べ、再生が進んでいるか、遅れているかが時系列的に計算される。
【００３０】
＜６＞フィールドオーダの妥当性が計算される。
フィールド識別子を検査することによって、正しいフィールドオーダで再生されているか否かが計算される。
以上＜１＞〜＜６＞の内容が品質データとして品質計算部１５３−４から品質出力部１５３−５へ送出される。
【００３１】
品質出力部１５３−５は、品質計算部１５３−４から品質データを受入れて蓄積し、同時に、図示しない外部モニタ等に出力表示する部分である。その表示について以下に説明する。
図４は、品質出力部の動作説明図である。
図は、Ｘ軸方向に測定開始からの経過時間を表し、Ｙ軸方向に、一例として品質出力部１５３−５（図３）から受入れたフレームロス数の時系列的変化を棒グラフで表している。他の品質データについても、同様に表示することが可能である。これらの品質データに基づいて、評価対象システム１０１（図１）のビデオ品質が確認される。図中アラーム発報閾値は、後記実施例２の説明で用いることになる。
【００３２】
以上説明したように、本実施例によれば、評価対象システムの送信側に於いて、ビデオ信号に可視マーカパターン（ビデオマーカデータ１５２−３（図２））を挿入し、受信側では、ビデオデータからこのマーカパターンを検出し、ビデオ品質（フレームロス、再生時間の伸縮性、フィールドオーダの妥当性、再生フレームの連続性、コンテンツ端ロス等）を客観的に実時間で計算することが可能になるという効果を得る。従って、基準ビデオを提示することなく、送信装置、伝送路、受信装置、各々の性能特性に留意したビデオストリーミング全体のビデオ品質を自動的に絶対評価出来るという効果を得る。又、従来の主観評価方法のように多数の評価者を必要としないので、評価コスト、及び、評価時間を低減できるという効果を得る。
【実施例２】
【００３３】
上記実施例１では、図１に示したようにビデオ入力部１０２から送信されるビデオデータを伝送路１０６を介して特定のビデオモニタ１０５で観察する場合に於けるビデオ品質評価システムを構成した。本実施例では、このシステムを基にして、ビデオ入力部１０２から送信されるビデオデータを、伝送路１０６を介して複数（不特定多数を含む）のビデオモニタで観察する場合に於けるビデオ品質評価システムを構成する。
【００３４】
図５は、実施例２のビデオ品質評価システムのシステム構成図である。
図に示すように本実施例のビデオ品質評価システム２００は、評価対象システム２０１と、ビデオ品質監視装置２５１とを含む。このビデオ品質監視装置２５１は、評価対象システム２０１の伝送路上の任意の場所（通常は各ノードの位置）に設けられる。その結果、任意の場所に設けられるビデオ品質監視装置２５１によってその近傍一帯に於けるビデオ品質が監視可能になる。図ではビデオ品質監視装置２５１は、１箇所のみに設けられているが、これは、内容説明のための一例であって、本発明を限定するものではない。
【００３５】
評価対象システム２０１は、ビデオ入力部２０２と、マーカ挿入部２０３と、符号化送信部２０４と、ビデオ受信端末２０５−１〜２０５−ｎと、ビデオモニタ２０６−１〜２０６−ｎとを備え、ビデオ品質監視装置２５１は、ビデオ受信端末２５２と、品質評価部２５３とを備える。以下にビデオデータの生成からビデオ品質の評価まで、ビデオデータの流れに沿って、上記各部分の構成と機能とを合わせて説明し、実施例２のビデオ品質評価システムの内容を明らかにする。
以下の各構成部分の説明では実施例１と異なる部分を明確にし、実施例１と同一の機能については、その詳細説明を省略する。
【００３６】
ビデオ入力部２０２は、実施例１のビデオ入力部１０２（図１）と同様に、ビデオカメラ、又はＤＶＤプレーヤー等を内蔵し、ディジタルのビデオデータ（１）を生成し、マーカ挿入部１５２へ送出する部分である。一例としてビデオデータは、ビデオカメラまたはＤＶＤプレーヤーを介して、画像サイズが７２０×４８０（画素）で、フレームレートが２９．９７Ｈｚ、Ｙ、Ｃｂ、Ｃｒが４対２対２形式（１画素あたり１６ビット）のディジタルデータとして生成される。このビデオデータは、ビデオデータ（１）としてマーカ挿入部２０３へ送出される。実施例１のビデオ入力部１０２（図１）と異なり、ビデオデータ（１）は、全て、マーカ挿入部２０３を経由して符号化送信部２０４へ送出され、直接符号化送信部２０４へ送出されることは無い。
【００３７】
マーカ挿入部２０３は、実施例１のマーカ挿入部１５２（図１）と同様にビデオ入力部２０２からビデオデータ（１）を受入れて、輝度信号（Ｙ）の、可視領域中の画面下端近傍にマーカデータを上書きし、ビデオデータ（２）として符号化送信部２０４へ送出する部分である。但し、実施例１のマーカ挿入部１５２（図１）は、評価対象システム１０１（図１）の構成要素には含まれず、ビデオ品質評価装置１５１（図１）に含まれていたが、本実施例では、マーカ挿入部２０３は、評価対象システム２０１の構成要素となっている。従って、上記のようにビデオデータ（１）は、全て、マーカ挿入部２０３を経由して符号化送信部２０４へ送出されることになる。マーカ挿入部２０３が、ビデオデータに対してビデオマーカデータを挿入する機能については実施例１と同様なので説明を省略する。
【００３８】
実施例１と同様に構成されたビデオマーカデータ１５２−３（図２）が挿入されたビデオデータは、ビデオデータ（２）として符号化送信部１０３（図５）へ送出される。符号化送信部１０３（図５）は、上記のように、このビデオデータ（２）を符号化し、更に符号化データを蓄積し、伝送パケット１０７を構成し、伝送路１０６を介してビデオ受信端末２０５−１〜２０５−ｎ、及びビデオ受信端末２５２へ送信することになる。実施例１の符号化送信部１０３（図１）との相違点は、ビデオデータ（１）をビデオ入力部２０２から受入れることが無くなる点のみである。
【００３９】
ビデオ受信端末２０５−１〜２０５−ｎは、伝送路１０６を介して符号化送信部２０４から伝送パケット１０７を受信してビデオデータに復号化し、ビデオモニタ２０６−１〜２０６−ｎへ送出する部分である。ビデオモニタ２０６−１〜２０６−ｎは、ビデオ受信端末２０５−１〜２０５−ｎからビデオデータを受入れて所定の目的に供する部分である。ここで、ビデオ受信端末２０５−１〜２０５−ｎとビデオモニタ２０６−１〜２０６−ｎとは、同一符号同士が１対１で接続されている。
【００４０】
ビデオ品質監視装置２５１を構成するビデオ受信端末２５２は、伝送路１０６を介して符号化送信部２０４から伝送パケット１０７を受信してビデオデータに復号化し、品質評価部２５３へビデオデータ（３）を送出する部分である。ここで、ビデオ受信端末２５２は、伝送路１０６中に配設されている図示しない所定のノードと接続されている。伝送路１０６は、例えばインターネット網などのようにビデオデータを伝送可能なネットワークである。
【００４１】
品質評価部２５３は、ビデオ受信端末２５２からビデオデータを受入れて、上記ビデオマーカデータ１５２−３（図２）を検出し、該ビデオマーカデータ１５２−３（図２）に基づいて、実施例１の品質評価部１５３（図１）と同様に品質データを算出して出力する部分である。品質評価部２５３の詳細な構成とその機能は、実施例１の品質評価部１５３（図１）と同様なので説明を省略する。実施例１の品質評価部１５３（図１）と異なる点は、品質データの値が図５に示すアラーム発報閾値を越えるとアラーム情報を発報する機能を有している点のみである。
【００４２】
以上説明したように、本実施例では、評価対象システム２０１（図５）の伝送路１０６（図５）の任意の場所（通常は各ノードの位置）にビデオ品質監視装置２５１（図５）を設けている。このビデオ品質監視装置２５１（図５）は、実施例１のビデオ品質評価装置１５１（図１）と同様にビデオデータ中からビデオマーカデータ１５２−３（図２）を検出し、ビデオ品質を実時間で計算する。その結果、ビデオ品質監視装置２５１（図５）が配置された位置の近傍一帯に於ける、実施例１と同様なビデオ品質情報が取得可能になるという効果を得る。
【００４３】
又、送信装置、伝送路の何れかに動作異常が発生した場合には、ビデオ品質に通常とは異なるデータが観測される。例えば、伝送路が輻輳した場合、フレームロス等が頻発するので、ビデオ品質データから異常を認識することが出来る。従って、従来技術とは異なり、基準ビデオを提示することなく、送信装置、伝送路、各々の性能特性に留意した、ビデオ品質を自動監視し、必要に応じてアラームを発報できるという効果を得る。
【産業上の利用可能性】
【００４４】
上記実施例では、ビデオ画面上のビデオマーカデータの挿入位置を画面下端付近に設定したが、これは、オーバースキャン方式によるビデオモニタに於いて、ビデオマーカデータがビデオモニタに表示されないように配慮したものである。従って、例えば電子透かし技術等を用いてビデオ画面上の可視領域に設定することも可能である。あるいは又、ビデオマーカデータをビデオ画面上の左右端に設定しても良い。
【００４５】
又、上記実施例では、ビデオマーカデータとしてフレーム番号を用いたが、例えばフレーム番号の代わりに１フレームの提示時間、又は、それ以下の時間精度での再生予定時刻、例えば、ＳＭＰＴＥタイプスタンプ等を用いてもよい。また品質評価部でのマーカ検出精度を高めるため、ビデオマーカデータとして、再び現在のフレーム番号又はビデオコンテンツ終了までの残りフレーム数を追加で挿入しても良い。この場合には、そのフレームを特定する情報が複数個挿入されているので、何らかの要因で品質評価部によるマーカ検出結果が不明確であった場合等に、他の冗長データにより異常か否かを判断し、その値を補正させることが可能になる。
【００４６】
又、実施例では、同期パターン２ビットとマーカ８ビットの組合わせ１０ビットを一つの単位として、ビット毎に８画素長の白黒パタンを割当てることでマーカデータをビデオデータに挿入する構成としたが、ビデオデータからマーカデータを読み出し可能な他の任意構成としても良い。又、実施例では、各マーカビットの位置を計算するために、マーカ８ビット毎に同期パターンを挿入していたが、この例に限定する必要はない。例えば、他の構成として、マーカデータに同期パターンを含ませず、マーカビットが０値の場合には、左に隣接する値（黒又は白）を反転させた値（白又は黒）を長さ８画素で挿入し、マーカビットが値１の場合には左に隣接する値（黒又は白）を反転させた値（白又は黒）を長さ４画素で挿入し、その右隣にさらに反転した値（黒又は白）を長さ４画素で挿入するように構成すれば、横方向に沿ってマーカデータに対応したビデオデータの白黒の反転パターンが頻繁に発生するため、同期パターンを必要とせずに、マーカ領域検出部にて高精度にマーカデータの領域位置データを検出できる。
【００４７】
又、実施例では，マーカデータの一部として、２３ビットのフレーム番号を適用する例について説明したが、評価対象システムで適用するビデオコンテンツの時間長に応じて、ビット数を増減しても、実施例と同様の効果が得られる。
【図面の簡単な説明】
【００４８】
【図１】実施例１のビデオ品質評価システムのシステム構成図である。
【図２】ビデオマーカデータの説明図である。
【図３】品質評価部の構成図である。
【図４】品質出力部の動作説明図である。
【図５】実施例２のビデオ品質評価システムのシステム構成図である。
【符号の説明】
【００４９】
１００    ビデオ品質評価システム
１０１    評価対象システム
１０２    ビデオ入力部
１０３    符号化送信部
１０４    受信復号部
１０５    ビデオモニタ
１０６    伝送路
１０７    伝送パケット
１５１    ビデオ品質評価装置
１５２    マーカ挿入部
１５３    品質評価部
【図１】
2007312191.tif 000003
【図２】
2007312191.tif 000004
【図３】
2007312191.tif 000005
【図４】
2007312191.tif 000006
【図５】
2007312191.tif 000007